(57)【要約】【課題】乗員の意思に基づいて、周囲の特定の歩行者などに自車両が接近していることを的確に認識可能となるようにする。【解決手段】接近告知装置１０では、乗員がステアリング２６に設けているトラッグパット２２に触れ、さらに、接触位置がトラッグパッド上を移動されると、接触位置の移動方向を判定し、この移動方向を接近告知音の発音方向に設定し、アクチュエータ５４を作動してスピーカ５２を発音へ向けた後、所定の接近告知音を、予め設定している音量でスピーカから発する。これにより、不必要な方向へ音を発してしまうことなく、乗員の意思に基づいて、特定の歩行者などへ向けて接近告知音を発し、自車両の接近を的確に告知することができる。【選択図】図６
2008162477.tif 000002
【特許請求の範囲】
【請求項１】
車両の周囲の任意の方向から設定された発音方向へ向けて音を発する発音手段と、
前記車両のステアリングホイールに設けられて前記発音手段による発音及び前記発音方向が入力される発音操作手段と、
前記発音操作手段から少なくとも前記発音方向が入力されることにより、入力された発音方向へ向けて前記発音手段から、前記車両の接近を告知する音を発するように制御する発音制御手段と、
を含むことを特徴とする車両用接近告知装置。
【請求項２】
前記発音操作手段が、トラックパッドを備え、トラックパッド上への接触及び接触位置の移動によって前記発音方向が入力されることを特徴とする請求項１に記載の車両用接近告知装置。
【請求項３】
前記発音操作手段が、車幅方向の左側を選択する第１のスイッチと、車幅方向の右側を選択する第２のスイッチを備え、前記第１又は第２のスイッチの一方が操作されることにより前記発音方向を判断する判断手段と、
を備えたことを特徴とする請求項１に記載の車両用接近告知装置。
【請求項４】
前記発音操作手段が、前記ステアリングホイールに設けられた操作スイッチと、
前記車両前部に設けられて、車両前方側の対象物を検知する対象物検知手段と、
を含み、前記発音制御手段が、前記操作スイッチが操作されたときに前記対象物検知手段によって検知される前記障害物の方向から前記発音方向を設定して、前記発音手段による発音を制御する、
ことを特徴とする請求項１に記載の車両用接近告知装置。
【請求項５】
前記発音操作手段が、前記発音手段から発する音量を設定する音量設定手段を含むことを特徴とする請求項１から請求項４の何れか１項に記載の車両用接近告知装置。
【請求項６】
前記発音手段が、有指向性のスピーカと、前記スピーカの向きを移動するアクチュエータと、を含み、前記発音制御手段が、前記スピーカを前記発音方向へ向けるように前記アクチュエータを作動させる、ことを特徴とする請求項１から請求項５の何れか１項に記載の車両用接近告知装置。
【請求項７】
前記発音手段が、少なくとも車両前部の車幅方向両側に設けられたスピーカを備え、
前記発音制御手段が、前記発音方向に基づいていずれか少なくとも一方のスピーカを作動することを特徴とする請求項１から請求項５の何れか１項に記載の車両用接近告知装置。
【発明の詳細な説明】
【技術分野】
【０００１】
本発明は、車両に設けられて所定の音を発して自車両の接近を周囲に告知する車両用接近告知装置に関する。
【背景技術】
【０００２】
近年、走行用の駆動源としてエンジンに加えて電動モータが設けられたハイブリッド車が普及しており、また、バッテリに蓄積した電力又は燃料電池から供給される電力によって電動モータを駆動して走行する電気自動車、燃料電池自動車などが普及しつつある。これらの車両では、電動モータを駆動して走行することにより騒音が抑えられている。また、近年の車両に用いられるタイヤでは、ロードノイズの低減が図られており、これにより、車室の静粛性のみならず、走行車両が周囲に発する音も低減されている。
【０００３】
ところで、歩行者や自転車などに乗っている人（以下、総称して歩行者などとする）は、車両が発するエンジン音、ロードノイズなどの走行音を聞き取ることにより、車両が接近していることを認識しているが、これらの音が低減された車両に対しては、その接近を認識ことが難しくなっている。
【０００４】
一方、車両には、警報装置（クラクション）が設けられており、この警報装置を鳴らすことにより、周囲の車両の乗員に、自車両を認識できるようにしている。
【０００５】
一般に、車両に設けられる警報装置は、周囲の車両に対して警報を発するものであり、高速走行中であっても周囲の車両の乗員が認識可能となるように音圧レベルが１０５ｄＢ以上と高くなっている。また、このような警告音は、音域が１８００Ｈｚから３５５０Ｈｚがピークとなっている。
【０００６】
このような警告装置から発する警告音を、歩行者などが間近で聞くと、不快感を生じ、また、不意に警告音を発することは、歩行者などを驚かしてしまうことになる。さらに、無闇に警報装置を操作することは、周囲に騒音を発生してしまうことになる。
【０００７】
ここから、アウタミラーに音出力手段を設けて、音楽再生などを可能とするときに、車両の後退時、右左折時などにおいて音出力を行うことにより、歩行者に近い位置で音を発して、歩行者に自車両の接近を認識可能とする提案がなされている（例えば、特許文献１参照。）。
【０００８】
しかしながら、車両の後退時、右左折時になどに、周囲の歩行者の有無にかかわらず音を発したり、車両の接近を認識している歩行者に対し音を発するなど、単に車両の周囲に無闇に音を発することは、実質的に騒音を発することになってしまう。また、上記構成では、前方の歩行者などの特定の歩行者などに対して、乗員の意思で、自車両の接近を確実に認識可能とするのは困難である。
【特許文献１】特開２００４−１９６２１０号公報
【発明の開示】
【発明が解決しようとする課題】
【０００９】
本発明は上記事実に鑑みてなされたもので、乗員の意思に基づいて、周囲の特定の歩行者などが自車両の接近を的確に認識可能となるようにする車両用接近告知装置を提案することを目的とする。
【課題を解決するための手段】
【００１０】
上記目的を達成するために本発明は、車両の周囲の任意の方向から設定された発音方向へ向けて音を発する発音手段と、前記車両のステアリングホイールに設けられて前記発音手段による発音及び前記発音方向が入力される発音操作手段と、前記発音操作手段から少なくとも前記発音方向が入力されることにより、入力された発音方向へ向けて前記発音手段から、前記車両の接近を告知する音を発するように制御する発音制御手段と、を含むことを特徴とする。
【００１１】
この発明によれば、車両の乗員（運転者）が操作するステアリングホイールに、発音操作手段を設け、この発音操作手段によって、少なくとも発音方向が入力されると、発音制御手段が、発音操作手段から入力された発音方向へ、自車両が接近していることを知らせる音を発する。
【００１２】
これにより、乗員の意思に基づいたタイミングで、乗員の意思に沿った方向へ音を発することができ、その方向を特定の歩行者などへ向けることにより、自車両の接近をその歩行者などへ確実に告知することができるとともに、周囲に騒音となる音を発してしまうのを確実に防止することができる。
【００１３】
このような本発明では、歩行者などへ向けて発する音として、音声、音楽、効果音、などの任意の音を適用することができるが、人が不快と感じる音域を避けた音であることが好ましく、また、日常的に聞き慣れた音又は音域であることが好ましい。また、歩行者などへ向けて発する音としては、例えば、２秒から６秒程度、好ましくは３秒〜４秒程度の時間内での単発音で、抑揚のある（立ち上がりや立下り）を音であることが、好ましく、この単発音を連続させても良い。
【００１４】
請求項２に係る発明は、前記発音操作手段が、トラックパッドを備え、トラックパッド上への接触及び接触位置の移動によって前記発音指示及び前記発音方向が入力されることを特徴とする。
【００１５】
この発明によれば、操作手段としてステアリングホイールにトラッグパッドを設け、歩行者などに接近を告知するときには、手や指先をトラックパッドに触れ、歩行者の方向へ移動する。
【００１６】
これにより、発音制御手段が、発音方向を認識に、認識した方向へ音が発せられるように発音手段を制御する。
【００１７】
なお、トラッグパッドは、少なくとも車幅方向への接触位置の移動を識別可能であれば良いが、車幅方向のみでなく、車両前後方向への移動を識別可能であっても良く、これにより、車両幅方向のみでなく、発音方向として斜め前方の認識が可能となる、より的確な方向へ向けて音を発することができる。
【００１８】
請求項３に係る発明は、前記発音操作手段が、車幅方向の左側を選択する第１のスイッチと、車幅方向の右側を選択する第２のスイッチを備え、第１又は第２のスイッチの一方が操作されることにより、発音方向を判断する判断手段と、を備えたことを特徴とする。
【００１９】
この発明では、第１のスイッチと第２のスイッチによって、発音方向を、車幅方向の右側と左側の何れかを選択可能とする。これにより、簡単な操作で、所望の方向への自車両の接近を告知することができる。
【００２０】
請求項４に係る発明は、前記発音操作手段が、前記ステアリングホイールに設けられた操作スイッチと、前記車両前部に設けられて、車両前方側の対象物を検知する対象物検知手段と、を含み、前記発音制御手段が、前記操作スイッチが操作されたときに前記対象物検知手段によって検知される前記障害物の方向から前記発音方向を設定して、前記発音手段による発音を制御する、ことを特徴とする。
【００２１】
この発明によれば、車両前部などに、周囲の歩行者を検出可能とする対象物検知手段を設け、操作スイッチが操作されたときに、対象物検知手段によって検知される歩行者へ向けて音を発する。これにより、簡単な操作で、対象物として歩行者などに自車両が接近していることを告知することができる。
【００２２】
このような本発明においては、前記発音操作手段が、前記発音手段から発する音量を設定する音量設定手段を含むことが好ましく、これにより、不必要に大きな音を発して、周囲の騒音となってしまうのを防止しながら、自車両が接近していることを告知することができる。
【００２３】
なお、音量設定手段としては、可変抵抗器（ボリューム）は、抵抗値を選択するスイッチなどを用いてもよく、また、トラッグパッドなどを用いた時には、接触位置の移動速度が速いときには音量を大きくし、接触位置の移動速度が緩やかなときには、音量を抑えるなど、接触位置の移動速度に応じた音量が発せられるようにしても良い。また、第１及び第２のスイッチを用いて発音方向を選択するときには、スイッチの操作時間や、スイッチを押圧するときの圧力などを検出し、検出結果に応じた音量となるようにしても良い。
【００２４】
請求項６に係る発明は、前記発音手段が、有指向性のスピーカと、前記スピーカの向きを移動するアクチュエータと、を含み、前記音響制御手段が、前記発音方向へ向に応じて前記アクチュエータを作動させる、ことを特徴とする。
【００２５】
この発明によれば、特定の方向へ音を発する有指向性のスピーカを用い、スピーカが発音方向へ向くように制御する。これにより、入力された発音方向のみへ確実に音を発することができる。
【００２６】
また、請求項７に係る発明は、前記発音手段が、少なくとも車両前部の車幅方向両側に設けられたスピーカを備え、前記発音制御手段が、前記発音方向に基づいていずれか少なくとも一方のスピーカを作動することを特徴とする。
【００２７】
この発明によれば、車幅方向の両側にスピーカを設け、操作方向側のスピーカから音を発する。これにより、簡単な構成で、所望の方向へのみ音を発することができる。
【００２８】
なお、車幅方向の両側にスピーカを設けたときには、発音方向に基づいてそれぞれのスピーカの音量を制御することにより、発音方向へ向けて発せられる音量が所定の音量となるようにしても良く、これにより、車幅方向の両側のみでなく、斜め前方、前方などへ向けて車両が接近していることを告知することができる。
【発明の効果】
【００２９】
以上説明したように本発明によれば、乗員、意思で、乗員が認識した方向の歩行者などのみに向けて接近を告知する音を発することができるので、該当歩行者などに、自車両が接近していることを確実に伝達可能であると共に、車両の周囲へ向けて必要に接近を告知する音を発することがないので、接近を告知する音が、騒音として認識されてしまうのを確実に防止することができるという優れた効果が得られる。
【発明を実施するための最良の形態】
【００３０】
以下に、図面を参照しながら本発明の実施の形態を説明する。
【００３１】
〔第１の実施の形態〕
図１には、本発明の第１の実施の形態に係る接近告知装置１０の概略構成を示している。図２に示されるように、この接近告知装置１０は、車両１２に設けられている。この車両１２としては、走行用の駆動源としてエンジンを備えたものであっても良いが、エンジンに加えて電動モータを備えたハイブリッド車や、エンジンに変えて電動モータを備えた電気自動車、燃料電池自動車など、走行音の低減が図られた車両であることが、より大きな効果を得られるために好ましい。
【００３２】
なお、図２では、車両前後方向の前方側を矢印Ｆｒ、車幅方向の左側を矢印Ｌ、車幅方向の右側を矢印Ｒとして示している。
【００３３】
図１に示されるように、接近告知装置１０は、操作スイッチ部１４、コントローラ部１６及び、音発生部１８によって構成されている。コントローラ部１６は、ＣＰＵ、ＲＯＭ、ラム等がバスに接続された図示しないマイクロコンピュータを含み、このマイクロコンピュータに、入出力インターフェイス、駆動回路など（いずれも図示省略）が設けられて形成されたコントローラ２０を備えている。
【００３４】
また、操作スイッチ部１４には、トラッグパッド２２及び音量調節器２４が設けられており、このトラッグパッド２２及び音量調節器２４がコントローラ２０に接続されている。
【００３５】
図２に示されるように、車両１２には、ステアリングホール（以下、ステアリング２６とする）が設けられている。図３に示されるように、ステアリング２６は、ステアリングホイールリング２８、ステアリングホイールスポーク３０及びステアリングホイールボス３２によって形成された一般的構成となっており、ステアリングホイールボス３２にホーンボタン３４が設けられており、このホーンボタン３４を押圧する操作することにより、車両１２に設けている図示しない警報装置が作動され、車両１２から、周囲へ所定の警告音が発せられる。なお、この警報装置は、車両に設けられる一般的構成を適用することができ、ここでは詳細な説明を省略する。
【００３６】
接近告知装置１０では、ステアリング２６のホーンボタン３４上にトラッグパッド２２が設けられ、また、ホーンボタン３４から外周部の一部が突出するように、音量調節器２４の操作に用いるダイアル３６が設けられている。
【００３７】
図４に示されるように、トラッグパッド２２は、保護シート３８、Ｙ電極シート４０、Ｘ電極シート４２及びベースシートが積層されて形成されている。Ｙ電極シート４０には、所定間隔でＹ電極４６が形成され、Ｘ電極シート４２には、所定間隔でＸ電極４８が形成されており、トラッグパッド２２は、Ｙ電極４６とＸ電極４８が直交され、例えば、Ｙ電極４６が車両前後方向に沿うように配置されると共に、Ｘ電極４８が車幅方向に沿うように配置されてステアリング２６に取り付けられる。また、ベースシート４４には、ベース電極５０が形成されている。
【００３８】
トラッグパッド２２は、乗員の手や指先などが保護シート２８の表面に接触したとき、その接触位置に対応するＹ電極４６及びＸ電極４８とベース電極５０との間の静電容量が変化する。
【００３９】
これにより、トラッグパッド２２では、例えば、乗員の手や指先などが保護シート３８に接触されたときの位置（トラッグパッド２２上の位置座標）が検出される。また、接触位置が移動されたときには、静電容量の変化が検出されるＹ電極４６ないしＸ電極４８によって移動位置が検出され、この移動位置によって移動方向の判断が可能となっている。
【００４０】
図１に示されるコントローラ２０では、トラッグパッド２２に乗員が触れたか否かの検出を行い、また、乗員の接触が検出され、さらに、接触位置が移動したときには、接触位置の移動方向を、発音方向として読み込む。
【００４１】
一方、図１及び図２に示されるように、音発生部１８には、スピーカ５２及びアクチュエータ５４が設けられており、スピーカ５２及びアクチュエータ５４がコントローラ２０に接続されている。
【００４２】
図２に示されるように、スピーカ５２は、車両１２の前端部に設けられて、車外へ向けて音を発する。このとき、スピーカ５２は、先端が向けられた方向へ向け所定範囲で音を発する有指向性となっている。
【００４３】
また、スピーカ５２は、先端を車両前方側から車幅方向の左側及び車幅方向の右側へ向けて回動可能に取り付けられており、アクチュエータ５４は、作動されることによりスピーカ５２を回動し、スピーカ５２の向きを、車幅方向の左側〜車両前方側〜車幅方向の右側の範囲で変えるようになっている。
【００４４】
このようなスピーカ５２の取り付け位置としては、スピーカ５２とアクチュエータ５４とを一体にして、車両１２のバンパ１２Ａに取り付けることが好ましく、これにより、スピーカ５２を向けた方向へのみ、確実に音が伝播するようにできる。
【００４５】
ただ、バンパ１２Ａに取り付けた場合、車両１２の走行時の風圧を受けることを考慮した形状及び取り付け強度を確保し、かつ、車両１２の前部の概観品質を損ねることのない形状及び取り付け方法を適用することが好ましい。
【００４６】
また、車両１２の前部のフロントコンパートメント１２Ｂには、車両１２の前方の空気を導入可能とする吸気グリルなどが設けられており、この吸気グリルなどを介して、車外に音を発することができることから、スピーカ５２の取り付け位置としては、フロントコンパートメント１２Ｂを選択することも可能である。
【００４７】
フロントコンパートメント１２Ｂ内にスピーカ５２を設けたときには、ヘッドライトなどによって音が遮られる可能性があり、特定の方向へ向けた音が遮られることのないように、グリルなどを設けることが好ましい。
【００４８】
なお、以下では、スピーカ５２をアクチュエータ５４と一体でバンパ１２Ａに取り付けるように説明するが、図２などにおいては、フロントコンパートメント１２Ｂ上にスピーカ５２を図示している。
【００４９】
図１に示されるコントローラ２０は、トラッグパッド２２の操作から検出される発音方向に基づいてアクチュエータ５４を作動させて、スピーカ５２が、発音方向へ向けられるようにする。
【００５０】
また、操作スイッチ部１４に設けている音量調節器２４は、可変抵抗器（ボリューム）又は、抵抗値を複数段階で切換える切換スイッチなどが用いられ、ダイアル３６（図３参照）を操作することにより、スピーカ５２から発する音量を、予め調節しておくことが可能となっている。
【００５１】
これにより、コントローラ２０は、トラッグパッド２２から検出される発音方向へスピーカ５２を向けると、ダイアル３６によって設定された音量で、スピーカ５２から所定の音を発する。
【００５２】
このときに発する音は、車両１２が接近していることを、歩行者や自転車などに乗っている人など（以下、総称して「歩行者など」とする）に的確に認識可能となる音で、かつ、歩行者などに不快感を与えることのない音であれば、音声、音楽、効果音などの任意の音を適用することができる。
【００５３】
また、この音としては、日常的に聞き慣れた音又は音域であることが好ましく、このときに、車両が接近していることをイメージすることができる音であることがより好ましい。
【００５４】
さらに、歩行者などへ向けて発する音としては、例えば、２秒から６秒程度、好ましくは３秒〜４秒程度の時間内での単発音で、抑揚のある（立ち上がりや立下り）を音であることが、好ましく、この単発音を連続させても良い。
【００５５】
なお、以下では、歩行者などへ向けて発する音を、接近告知音として説明する。
【００５６】
一方、図１に示されるように、接近告知装置１０のコントローラ２０には、ステアリング２６の回転を検出する舵角センサ５６が接続されている。この舵角センサ５６は、ステアリング２６と一体に回転するスリット板（図示省略）に対向して設けられ、ステアリング２６が回転されることにより、回転量、回転方向に応じたパルスが出力される。
【００５７】
コントローラ２０は、蛇角センサ５６から出力されるパルスをカウント（加減算）することにより、ステアリング２６に設けているトラッグパッド２２の向きを判定し、トラックパッド２２の操作状態を補正するようにしている。
【００５８】
これにより、コントローラ２０では、ステアリング２６の操作状態（トラッグパッド２２の向き）にかかわらず、乗員の接触操作が一定となるようにしている。
【００５９】
このように構成されている接近告知装置１０は、車両１２の図示しないイグニッションスイッチなどの走行開始用のスイッチがオンされると動作可能となり、また、車両１２の走行を停止し、イグニッションスイッチなどがオフされることにより、動作を終了する。
【００６０】
図５には、接近告知装置１０が作動可能となることにより、コントローラ２０で実行される接近告知制御の概略を示している。なお、接近告知装置１０では、ステアリング２６に設けているダイアル３６によって予め接近告知音の音量設定がなされている。
【００６１】
このフローチャートでは、最初のステップ１００で、乗員がステアリング２６に設けているトラッグパッド２２に触れたか否かを確認する。ここで、乗員が、前方の歩行者などを認識し、認識した歩行者などに自車両（車両１０）の接近を告知するために、トラッグパッド２２に触れると、ステップ１００で肯定判定されてステップ１０２へ移行する。
【００６２】
このステップ１０２では、トラックパッド２２の接触位置が移動したか否かを確認し、接触位置が移動すると、ステップ１０２で肯定判定してステップ１０４へ移行し、接触位置の移動方向を判定し、判定した移動方向を発音方向に設定する。
【００６３】
すなわち、接近告知装置１０を使用するときには、歩行者などに自車両の接近を告知するときに、該当する歩行者などの方向へ向けて、トラッグパッド２２上の接触位置を移動するようになっており、乗員が接触位置を移動すると、ステップ１０２で肯定判定されてステップ１０４へ移行し、移動方向から発音方向を設定する。なお、所定時間の間に接触方向が移動されないときには、操作間違いとして接近告知処理を終了するようにしても良く、また、発音方向を車両１２の前方側と判断するようにしても良い。
【００６４】
ここで、発音方向を設定すると、次のステップ１０６では、設定した発音方向に基づいてアクチュエータ５４を作動させ、スピーカ５２を発音方向へ向けると共に、次のステップ１０８では、予め設定された音量で接近告知音を発する。
【００６５】
すなわち、図６（Ｂ）に示されるように、トラッグパッド２２上の接触位置が、例えば、中心位置から斜め左前方（図６（Ｂ）の矢印ＦＬ方向）へ移動されると、図６（Ａ）に示されるように、スピーカ５２が、車両１２の斜め左前方（図６（Ａ）の矢印ＦＬ方向）へ向けられて接近告知音が発せられる。
【００６６】
また、図６（Ｄ）に示されるように、トラッグパッド２２上の接触位置が、例えば、中心位置から斜め右前方（図６（Ｄ）の矢印ＦＲ方向）へ移動されると、図６（Ｃ）に示されるように、スピーカ５２が、車両１２の斜め右前方（図６（Ｃ）の矢印ＦＲ方向）へ向けられて接近告知音が発せられる。
【００６７】
なお、接近告知音の停止は、接近告知音を単音としているときには、単音の発音が終了することにより停止されるが、例えば、トラッグパッド２２に触れ続けることにより、単音を連続させるようにしても良く、また、このときの単音の連続するは、予め設定した回数を限度とするようにしても良く、これにより、同じ温度が連続することにより、歩行者などに不快感を生じさせてしまうのを防止することができる。
【００６８】
また、単音の接近告知音を連続させるときには、１回ごとに音色、音域、時間などを変えるなどの、接近告知音を聞く歩行者などに不快感を生じさせないようにするようにしても良い。
【００６９】
このように、接近告知装置１０では、乗員の意思に基づいてスピーカ５２が向けられ、スピーカ５２が向けられた歩行者などへ向けて、車両１２から接近告知音が発せられる。これにより、この接近告知音によって、乗員が自車両の接近を告知しようとする歩行者などに、確実に自車両の接近を知らせることができる。
【００７０】
このとき、例えば、乗員がトラッグパッド２２の中心に触れた後、接触位置を、自車の接近を告知したい歩行者などの方向へ向けて接触位置を移動する簡単な操作で、指定した方向へ向けて接近告知音を発することができる。
【００７１】
また、発音方向として指定された以外の方向への音が抑えられるので、周囲に歩行者などに騒音とし認識されてしまうのを確実に防止することができる。
【００７２】
一方、以上説明した第１の実施の形態では、接触位置の移動を二次元的に検出可能とするトラッグパッド２２を用いたが、これに限らず、車幅方向に沿った一次元的な移動を検出するようにしても良い。
【００７３】
このときには、例えば、接触位置が左方向へ移動されたときには、車両１２の左前方側（図６（Ａ）の矢印ＦＬ方向）へスピーカ５２を向け、接触位置が右方向へ移動されたときには、車両１２の右前方側（図６（Ｃ）の矢印ＦＲ方向）へスピーカ５２を向けるようにするなど、予め設定された方向へ向けるなどの構成を適用することができる。
【００７４】
また、ステアリングには、ステアリングホイールリング２８及びステアリングホイールスポーク３０がステアリングホイールボス３２を中心に回転し、ホーンボタン３４が回転しないようになったものがあり、このようなステアリングホイールにトラッグパッド２２を設けたときには、蛇角センサ５６を不要とすることができる。
【００７５】
さらに、第１の実施の形態では、音量調節器２４を設け、ダイアル３６によって接近告知音の音量を予め設定するようにしたが、これに限らず、例えば、接触位置の移動速度や接触位置の移動量などのトラッグパッド２２の操作状態に応じて接近告知音の音量を設定するようにしても良い。
【００７６】
例えば、接触位置の移動速度に応じて音量を設定するときには、移動速度が緩やかなときには、音量を抑え、移動速度が速くなるほど音量が大きくなるようにする。
【００７７】
また、接触位置の移動量（移動距離）に応じて音量を設定するときには、接触位置の移動量が少ないときには、音量を抑え、接触位置の移動量が多くなるにしたがって音量が大きくなるようにする。
【００７８】
このようにして、トラッグパッド２２の接触状態に基づいて発音方向のみでなく、音量の調節も行うことにより、乗員の意思に基づいた接近告知音を発することが可能となる。
【００７９】
〔第２の実施の形態〕
次に、本発明の第２の実施の形態を説明する。なお、第２の実施の形態の基本構成は、前記した第１の実施の形態と同じであり、第１の実施の形態と同一の構成には、同一の部品を付与してその説明を省略する。
【００８０】
図７には、第２の実施の形態に係る接近告知装置６０の概略構成を示している。この接近告知装置６０は、コントローラ部１６Ａにコントローラ６２が設けられ、音発生部１８Ａには、スピーカ５２として２つのスピーカ５２Ｌ、５２Ｒが設けられている。
【００８１】
図８に示されるように、スピーカ５２Ｌ、５２Ｒは、車両１２の前端部のバンパ１２Ａに設けられ、スピーカ５２Ｌがバンパ１２Ａの車幅方向の左側に配置され、車両１２の前方方向から車幅方向の左側へ向けた範囲で接近告知音を発する。また、スピーカ５２Ｒは、バンパ１２Ａの車幅方向の右側に配置され、車両１２の前方方向から車幅方向の右側へ向けた範囲で接近告知音を発するようになっている。
【００８２】
また、図７に示されるように、接近告知装置６０の操作スイッチ部１４Ａには、音量調節器２４と共に、第１のスイッチとするスイッチ６４Ｌと、第２のスイッチとするスイッチ６４Ｒが設けられている。
【００８３】
図９に示されるように、スイッチ６４Ｌ、６４Ｒは、音量調節器２４のダイアル３６と共に、ステアリングホイール（以下、ステアリング２６Ａとする）に設けられている。
【００８４】
このステアリング２６Ａは、例えば、ホーンボタン３４アを挟んで右側にステアリングホイールスポーク３０Ｌが設けられ、左側にステアリングホイールスポーク３０Ｒが設けられている。
【００８５】
接近告知装置６０のスイッチ６４Ｌは、ホーンボタン３４Ａのステアリングホイールスポーク３０Ｌ側に配置され、スイッチ６４Ｒは、ホーンボタン３４Ａのステアリングホイールスポーク３０Ｒ側に配置されている。
【００８６】
図７に示されるコントローラ６２は、スイッチ６４Ｌが操作されると、車幅方向の左側のスピーカ５２Ｌから接近告知音を発し、スイッチ６４Ｒが操作されると、車幅方向の右側のスピーカ５２Ｒから接近告知音を発する。
【００８７】
なお、コントローラ６２には、蛇角センサ５６が接続されており、この蛇角センサ５６によって、ステアリング２６Ａの回転角を検出して、例えば、ステアリング２６Ａが、９０°回転されるごとに、スイッチ６４Ｌ、６４Ｒに対応するスピーカ５２Ｌ、５２Ｒを切換えるようにしている。
【００８８】
このように構成されている接近告知装置６０では、乗員（運転者）が車両１２の前方の左側の歩行者などに、自車（車両１２）が接近していることを知らせたいときには、スイッチ６４Ｌを操作する。
【００８９】
コントローラ６２は、スイッチ６４Ｌが操作されると、予め設定されている音量で、車幅方向の左側のスピーカ５２Ｌから接近告知音を発する。これにより、車両１２の左前方の歩行者などに向けて接近告知音が発せられる。
【００９０】
また、車両１２の前方の右側の歩行者などに、車両１２が接近していることを知らせたいときには、スイッチ６４Ｒを操作する。
【００９１】
コントローラ６２は、スイッチ６４Ｒが操作されると、車幅方向の右側のスピーカ５２Ｒから接近告知音を発する。これにより、車両１２の右前方の歩行者などに向けて接近告知音が発せられる。
【００９２】
歩行者などは、スピーカ５２Ｌ又はスピーカ５２Ｒから発せられる接近告知音を聞き取ることにより、車両１２が接近していることを確実に認識することができる。
【００９３】
このとき、車両１２の接近を知らせたい歩行者側に設けているスピーカ５２Ｌ又はスピーカ５２Ｒから接近告知音を発するので、その歩行者などは自分に対して接近告知音が発せられたことを的確に認識できると共に、不必要な方向へ接近告知音を発することがないので、接近告知音が車両１２から発せられる騒音と感じられるのを防止することができる。
【００９４】
なお、接近告知装置６０では、スイッチ６４Ｌ、６４Ｒが押圧操作し続けることにより、接近告知音が連続するようにしても良い。
【００９５】
また、接近告知装置６０では、ダイアル３６の操作によって接近告知音の音量を予め設定するようにしたが、これに限らず、例えば、スイッチ６４Ｌ、６４Ｒとして押圧力を検出可能な圧力スイッチを用い、押圧力が低い時には、接近告知音の音量を低くし、押圧力が大きくなるにしたがって接近告知音を大きくするようにしても良い。
【００９６】
〔第３の実施の形態〕
次に本発明の第３の実施の形態を説明する。なお、第３の実施の形態において、前記した第１又は第２の実施の形態と同一の部品には、同一の符号を付与して、その説明を省略する。
【００９７】
図１０には、第３の実施の形態に係る接近告知装置７０の概略構成を示している。この接近告知装置６０は、操作スイッチ部１４Ｂ、コントロール部１６Ｂ及び音発生部１８Ａによって構成され、コントローラ部１６Ｂにコントローラ７２が設けられ、音発生部１８Ａにスピーカ５２Ｌ、５２Ｒが設けられている。
【００９８】
また、接近告知装置７０には、操作スイッチ部１４Ｂに、温調調節器２４と共に、スイッチ７４及び、対象物検出手段として対象物検知センサ７６が設けられている。
【００９９】
図１１に示されるように、接近告知装置７０が設けられる車両１２のステアリングホイール（以下ステアリング２６Ｂとする）には、ホーンボタン３４Ｂにスイッチ７４が設けられている。図１０に示されるコントローラ７２では、スイッチ７４が操作されることにより、スピーカ５２Ｌ又はスピーカ５２Ｒから接近告知音を発する。
【０１００】
また、図１２に示されるように、接近告知装置７０が設けられる車両１２には、バンパ１２Ａの車幅方向の両側にスピーカ５２Ｌ、５２Ｒが設けられている。また、この車両１２には、前端部のバンパ１２Ａに対象物検知センサ７６が設けられている。
【０１０１】
この対象物検知センサ７６は、例えば、人や動物が発する遠赤外線を検出する。コントローラ７２は、対象物検知センサ７６によって、車両１２の周囲に検出対象とする歩行者などがいるか否かを判定するようにしている。
【０１０２】
本実施の形態では、一例として、バンパ１２Ａの車幅方向の左側の端部に対象物検知センサ７６Ｌを設け、車幅方向の右側の端部に対象物検知センサ７６Ｒを設け、対象物検知センサ７６Ｌによって車両の左側から前方の範囲で、歩行者などの有無を検知し、対象物検知センサ７６Ｒによって車両の右側から前方の範囲で、歩行者などの有無を検知するようになっている。
【０１０３】
コントローラ７２は、対称物検知センサ７６（７６Ｌ、７６Ｒ）を用いて、遠赤外線を発する対象物の画像を撮像し、撮像した画像の大きさや遠赤外線の強度などを含めて、車両１２から対象物までの距離を判定可能となっている。
【０１０４】
なお、第３の実施の形態では、対象物として歩行者などを検知するときに、歩行者などが発する遠赤外線を検出するようにしているが、対象物検出手段は、これに限るものではなく、例えば、遠赤外線を受光して撮像する撮像システムを用い、遠赤外線の撮影画像から検知対象とする歩行者であるか否かを判断するようにしても良く、また、超音波や近赤外線を発すると共に、対象物などで反射された超音波、近赤外線を検出したり、画像として撮影して、予め設定する対象物の有無、対象物までの距離などを画像処理等によって判定する構成など、公知の任意の構成を適用することができる。
【０１０５】
コントローラ７２は、スイッチ７４が操作されたときに、対象物検知センサ７６Ｌ、７６Ｒの何れか一方が、対象物として歩行者などを検知しているかを確認し、歩行者などを検知している対象物検知センサ７６が設けられている方向を発音方向に設定する。なお、コントローラ７２では、スイッチ７４が操作されたときに、対象物検知センサ７６Ｌ、７６Ｒのそれぞれが歩行者などを検知しているときには、車両１２と対象物検知センサ７６Ｌ、７６Ｒが検知している対象物までの距離及び対象物の位置に基づいて発音方向を設定するものであれば良い。このときの判断としては、例えば、距離の近い方を対象物としても良く、また、距離が同じ程度であれば、車両１２の前方側に近い方を対象物として判断するようにすれば良い。
【０１０６】
コントローラ７２は、発音方向が設定されると、設定された方向に向けられているスピーカ５２Ｌ又はスピーカ５２Ｒを選択して接近告知音を発する。
【０１０７】
これにより、接近告知装置７０では、乗員がステアリング２６Ｂに設けているスイッチ７４を操作する簡単な動作で、的確に発音方向を設定して接近告知音を発することができると共に、車両１２の周囲に、不必要に音を発してしまうことなく、スピーカ５２から発した接近告知音で歩行者などへ車両１２の接近を確実に告知することができる。
【０１０８】
このような接近告知装置７０では、音量調節器２４及びダイアル３６に換えて、スイッチ７４の押圧力に応じて接近告知音の音量を調整するものであっても良い。
【０１０９】
なお、以上説明した本実施の形態は、本発明の構成を限定するものではない。例えば、第２及び第３の実施の形態では、２つのスピーカ５２Ｌ、５２Ｒを設けたが、第１の実施の形態において、スピーカ５２とアクチュエータ５４に換えて、２つのスピーカ５２Ｌ、５２Ｒを設けるようにしても良い。このとき、例えば  発音方向に基づいてスピーカ５２Ｌ、５２Ｒの音量を制御し、発音方向へ向けて発せられる音量が所定の音量となるようにしても良い。
【０１１０】
また、第２及び第３の実施の形態では、２個のスピーカ５２（５２Ｌ、５２Ｒ）を用いたが、３個以上のスピーカ５２を用い、車両左側〜前方〜車両右側の全域から選択した方向へ接近告知音を発するようにしても良く、また、第１の実施の形態と同様に、アクチュエータ５４を用いて、接近告知音の発する方向へスピーカ５２を向けるようにしても良い。
【０１１１】
さらに、第１から第３の実施の形態では、音量調節器２４を用いるか、スイッチの操作状態から音量調整を行うように説明したが、音量調整手段は、これに限るものではなく、ナビゲーションシステムや日射センサなどを用いてもよい。例えば、ナビゲーションシステムでは、時刻を取得しており、この時刻から昼間と夜間を区別し、また、昼間は日射量が多いが夜間は日射量が少なくなり、これから日射センサを用いて、昼間と夜間を区別することができる。
【０１１２】
このときに、昼間と夜間を区別することにより、夜間の音量を昼間の音量より低くすることにより、夜間に発する接近告知音が、車両１２から周囲に発する騒音と感じられてしまうのを防止することができる。
【０１１３】
また、ナビゲーションシステムでは、地図情報から走行環境を判断することができ、これにより走行環境に応じて接近告知音の音量を変えることができる。例えば、周囲の騒音が大きいと思える市街地や幹線道路と、騒音が少ない住宅地とを識別し、市街地や幹線道路では音量を大きくして接近告知音が騒音にまぎれて歩行者などが聞き取り難くなってしまうのを防止することができる。
【０１１４】
また、住宅地などでは、騒音が比較的低く、接近告知音の音量が大きいと騒音と感じられてしまうことがある。このときに、住宅地などで接近告知音の音量を下げることにより、歩行者などが接近告知音を確実に聞き取ることができるようにしながら、接近告知音が車両から発する騒音となってしまうのを確実に防止することができる。
【０１１５】
また、本発明の発音操作手段は、乗員の意思に基づいて、乗員の意図に沿って発音方向を入力可能であれば、任意の構成を適用でき、また、本発明の発音手段は、任意の方向のうちから発音操作手段によって入力される発音方向へ向けて音を発することができれば、任意の構成を適用することができる。
【図面の簡単な説明】
【０１１６】
【図１】第１の実施の形態に係る接近告知装置の概略構成図である。
【図２】第１の実施の形態に係る車両の一例を示す概略図である。
【図３】第１の実施の形態に係るステアリングの概略構成図である。
【図４】トラッグパッドの一例を示す概略斜視図である。
【図５】第１の実施の形態に係る接近告知処理の一例を示す流れ図である。
【図６】（Ａ）は車両左前方へ向けて接近告知音を発するときの車両の要部の概略図、（Ｂ）は（Ａ）に対するトラッグパッドの操作を示すステアリングの概略図、  （Ｃ）は車両右前方へ向けて接近告知音を発するときの車両の要部の概略図、（Ｄ）は（Ｃ）に対するトラッグパッドの操作を示すステアリングの概略図である。
【図７】第２の実施の形態に係る接近告知装置の概略構成図である。
【図８】第２の実施の形態に係る車両の要部の概略図である。
【図９】第２の実施の形態に係るステアリングの概略構成図である。
【図１０】第３の実施の形態に係る接近告知装置の概略構成図である。
【図１１】第３の実施の形態に係るステアリングの概略構成図である。
【図１２】第３の実施の形態に係る車両の一例を示す概略図である。
【符号の説明】
【０１１７】
１０、６０、７０    接近告知装置（車両用接近告知装置）
１２    車両
１４、１４Ａ、１４Ｂ    操作スイッチ部（発音操作手段）
１６、１６Ａ、１６Ｂ    コントロール部（発音制御手段）
１８、１８Ａ    音発生部（発音手段）
２０、６２，７２    コントローラ（発音制御手段）
２２    トラッグパッド（発音操作手段）
２４    音量調節器（発音操作手段、音量設定手段）
２６、２６Ａ、２６Ｂ    ステアリング
５２、５２Ｌ、５２Ｒ    スピーカ（発音手段）
５４    アクチュエータ（発音手段）
６４Ａ    スイッチ（発音操作手段、第１のスイッチ）
６４Ｂ    スイッチ（発音操作手段、第２のスイッチ）
７４    スイッチ（発音操作手段）
７６（７６Ｌ、７６Ｒ）    対象物検知センサ（発音操作手段、対象物検知手段）
【図１】
2008162477.tif 000003
【図２】
2008162477.tif 000004
【図３】
2008162477.tif 000005
【図４】
2008162477.tif 000006
【図５】
2008162477.tif 000007
【図６】
2008162477.tif 000008
【図７】
2008162477.tif 000009
【図８】
2008162477.tif 000010
【図９】
2008162477.tif 000011
【図１０】
2008162477.tif 000012
【図１１】
2008162477.tif 000013
【図１２】
2008162477.tif 000014